(57)【要約】【課題】放送受信機において、受信感度の向上と高歪耐力との両方を実現する。【解決手段】放送受信機７１では、LNA３３は、入力される放送信号を増幅し、チューナ３４は、増幅された放送信号を受信する。制御部９４の判定部１７１は、チューナ３４の受信状態が良好であるかどうかを判定し、切換制御部１７２は、チューナ３４の受信状態が良好でないと判定された場合、LNA３３の利得が変更されるように、LNA３３の電源電圧を変更させる。本発明は、例えば、放送信号を受信するチューナに適用できる。【選択図】図２
2007336463.tif 000002
【特許請求の範囲】
【請求項１】
入力される信号を増幅する増幅回路によって増幅された信号を受信する受信装置の受信状態が良好であるかどうかを判定する判定手段と、
前記受信装置の受信状態が良好でないと判定された場合、前記増幅回路の利得が変更されるように、前記増幅回路の電源電圧を変更させる制御手段と
を備える情報処理装置。
【請求項２】
抵抗値が異なる複数の抵抗と、
前記複数の抵抗のうちの１の抵抗を選択する選択手段と
をさらに備え、
前記増幅回路には、定電圧源の電圧が、前記選択手段において選択された抵抗を介して、電源電圧として与えられ、
前記制御手段は、前記選択手段を制御することにより、前記増幅回路に与えられる電源電圧を変更させる
請求項１に記載の情報処理装置。
【請求項３】
前記増幅回路と前記受信装置のうちの一方または両方をさらに備える
請求項１に記載の情報処理装置。
【請求項４】
前記受信装置は、前記増幅回路によって増幅された信号に所定の処理を施すことによって得られるデータの誤りを検出する誤り検出を行い、
前記判定手段は、前記受信装置が誤りを検出した場合、前記受信装置の受信状態が良好でないと判定する
請求項１に記載の情報処理装置。
【請求項５】
入力される信号を増幅する増幅回路によって増幅された信号を受信する受信装置の受信状態が良好であるかどうかを判定し、
前記受信装置の受信状態が良好でないと判定された場合、前記増幅回路の利得が変更されるように、前記増幅回路の電源電圧を変更させる
ステップを含む情報処理方法。
【請求項６】
入力される信号を増幅する増幅回路によって増幅された信号を受信する受信装置の受信状態が良好であるかどうかを判定し、
前記受信装置の受信状態が良好でないと判定された場合、前記増幅回路の利得が変更されるように、前記増幅回路の電源電圧を変更させる
ステップを含む情報処理をコンピュータに実行させるプログラム。
【発明の詳細な説明】
【技術分野】
【０００１】
本発明は、情報処理装置、方法、およびプログラムに関し、特に、例えば、放送信号を受信する放送受信機において、強い電波に対応する信号を正常に受信するとともに、弱い電波に対応する信号に対する受信性能を向上させることができるようにする情報処理装置、方法、およびプログラムに関する。
【背景技術】
【０００２】
放送受信機において、弱い電波に対応する、いわば弱い信号に対する受信性能である受信感度を向上させるためには、放送受信機のNF（雑音指数）を小さくすることが有効であることが知られている。
【０００３】
放送受信機のNFを小さくする方法としては、放送受信機が内蔵するチューナの前段にLNA（Low Noise Amplifier：低雑音増幅器）を接続する方法がある。
【０００４】
ところで、いわゆるワンセグ放送などのテレビジョン放送の放送信号を受信する機能を有する携帯端末等の小型の放送受信機においては、搭載可能な回路の規模や放送受信機全体の大きさに制約があり、かかる放送受信機に搭載されるLNAには、利得が固定のLNAが用いられている。
【０００５】
図１は、LNAを有する従来の放送受信機の一例の構成を示している。
【０００６】
図１において、放送受信機１１は、入力端子３１、定電圧源３２，LNA３３、およびチューナ３４から構成されている。
【０００７】
入力端子３１には、例えば、図示せぬアンテナから供給されるデジタルテレビジョン放送の放送信号（以下、適宜、RF(Radio Frequency)信号ともいう）が入力され、入力端子３１に入力されたRF信号は、LNA３３に供給される。
【０００８】
定電圧源３２は、例えば、バッテリであり、その−端子は接地され、＋端子はLNA３３の電源端子３５に接続されている。これにより、定電源３２が出力する定電圧Eが、電源としてLNA３３に印加される。
【０００９】
LNA３３は、例えば、１つのトランジスタを有する増幅回路であり、入力端子３１から供給されたRF信号（放送信号）を増幅し、チューナ３４に供給する。
【００１０】
チューナ３４は、LNA３３から供給されたRF信号に所定の処理を施して、その結果得られるトランスポートストリームを出力する。
【００１１】
即ち、チューナ３４は、RF処理部５１および復調部５２から構成される。
【００１２】
RF処理部５１は、LNA３３から供給されるRF信号を、IF(Intermediate Frequency)信号に変換し、復調部５２に供給する。
【００１３】
復調部５２は、RF処理部５１から供給されるIF信号を復調し、その結果得られるトランスポートストリームを出力する。
【００１４】
以上のように、放送受信機１１は、チューナ３４の前段にLNA３３が接続されているので、NFを低NFにすることができる。その結果、LNAを用いない放送受信機に比べて、微弱な放送電波に対応する放送信号に対する受信感度を向上させることができる。
【００１５】
なお、入力信号を増幅する経路とバイパスする経路とを有し、入力信号の増幅とバイパスとが切り換え可能なLNAが提案されている（例えば、特許文献１参照）。
【００１６】
【特許文献１】特開２００４−２７４７１３号公報
【発明の開示】
【発明が解決しようとする課題】
【００１７】
しかしながら、利得が固定されたLNA３３を有する放送受信機１１において、NFを低くし、かつ、高耐歪力を実現すること、つまり信号の歪みに対する耐性を高くすることは困難であった。
【００１８】
すなわち、放送受信機１１のNFを低くするには、例えば、LNA３３の利得を高くする必要があるが、この場合、強い信号がLNA３３に入力されると、LNA３３の後段のチューナ３４において信号の歪みが生じ、その結果、エラーが発生し、受信不能の状態となる。
【００１９】
一方、LNA３３の利得を低くすると、放送受信機１１のNFが高くなり、受信感度が低下する。
【００２０】
そこで、例えば、上述の特許文献１に記載されているLNAを採用し、弱い信号はLNAで増幅する一方、強い信号はLNAをバイパスさせることで、弱い信号に対する受信感度の向上と、強い信号に対する高耐歪力との両方を実現することができる。
【００２１】
しかしながら、受信感度の向上と高歪耐力との両方を実現する他の方法の提案が要請されている。
【００２２】
本発明は、このような状況に鑑みてなされたものであり、受信感度の向上と高歪耐力との両方を実現することができるようにするものである。
【課題を解決するための手段】
【００２３】
本発明の一側面の情報処理装置は、入力される信号を増幅する増幅回路によって増幅された信号を受信する受信装置の受信状態が良好であるかどうかを判定する判定手段と、前記受信装置の受信状態が良好でないと判定された場合、前記増幅回路の利得が変更されるように、前記増幅回路の電源電圧を変更させる制御手段とを備える。
【００２４】
本発明の一側面の情報処理装置には、抵抗値が異なる複数の抵抗と、前記複数の抵抗のうちの１の抵抗を選択する選択手段とをさらに設け、前記増幅回路には、定電圧源の電圧を、前記選択手段において選択された抵抗を介して、電源電圧として与え、前記制御手段には、前記選択手段を制御させることにより、前記増幅回路に与えられる電源電圧を変更させることができる。
【００２５】
本発明の一側面の情報処理装置には、前記増幅回路と前記受信装置のうちの一方または両方をさらに設けることができる。
【００２６】
本発明の一側面の情報処理方法、または情報処理をコンピュータに実行させるプログラムは、入力される信号を増幅する増幅回路によって増幅された信号を受信する受信装置の受信状態が良好であるかどうかを判定し、前記受信装置の受信状態が良好でないと判定された場合、前記増幅回路の利得が変更されるように、前記増幅回路の電源電圧を変更させるステップを含む。
【００２７】
本発明の一側面においては、入力される信号を増幅する増幅回路によって増幅された信号を受信する受信装置の受信状態が良好であるかどうかが判定され、前記受信装置の受信状態が良好でないと判定された場合、前記増幅回路の利得が変更されるように、前記増幅回路の電源電圧が変更される。
【発明の効果】
【００２８】
本発明の一側面によれば、受信感度の向上と高歪耐力との両方を実現することができる。
【発明を実施するための最良の形態】
【００２９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３０】
本発明の一側面の情報処理装置（例えば、図２の放送受信機７１）は、
入力される信号を増幅する増幅回路（例えば、図２のLNA３３）によって増幅された信号を受信する受信装置（例えば、図２のチューナ３４）の受信状態が良好であるかどうかを判定する判定手段（例えば、図２の判定部１７１）と、
前記受信装置の受信状態が良好でないと判定された場合、前記増幅回路の利得が変更されるように、前記増幅回路の電源電圧を変更させる制御手段（例えば、図２の切換制御部１７２）と
を備える。
【００３１】
本発明の一側面の情報処理装置には、
抵抗値が異なる複数の抵抗（例えば、図２の抵抗９１1乃至抵抗９１N）と、
前記複数の抵抗のうちの１の抵抗を選択する選択手段（例えば、図２の抵抗切換部９２）とをさらに設け、
前記増幅回路には、定電圧源の電圧を、前記選択手段において選択された抵抗を介して、電源電圧として与え、
前記制御手段には、前記選択手段を制御させることにより、前記増幅回路に与えられる電源電圧を変更させることができる。
【００３２】
本発明の一側面の情報処理方法、または情報処理をコンピュータに実行させるプログラムは、
入力される信号を増幅する増幅回路によって増幅された信号を受信する受信装置の受信状態が良好であるかどうかを判定し（例えば、図６のステップＳ３３）、
前記受信装置の受信状態が良好でないと判定された場合、前記増幅回路の利得が変更されるように、前記増幅回路の電源電圧を変更させる（例えば、図６のステップＳ３５）
ステップを含む。
【００３３】
以下、図面を参照して本発明を適用した実施の形態について説明する。
【００３４】
図２は、本発明を適用した放送受信機の一実施の形態の構成例を示すブロック図である。
【００３５】
なお、図２において、図１と対応する部分には、同一の符号が付してあり、以下、適宜、説明を省略する。
【００３６】
即ち、図２において、放送受信機７１は、入力端子３１、定電圧源３２、LNA３３、チューナ３４、抵抗９１1乃至抵抗９１N、抵抗切換部９２、エラーフラグ記憶部９３、および制御部９４から構成されている。
【００３７】
入力端子３１には、前述したように、デジタル放送の放送信号（RF信号）が入力され、入力端子に入力されたRF信号は、LNA３３に供給される。
【００３８】
定電圧源３２は、その−端子は接地され、＋端子は抵抗切換部９２に接続されている。
【００３９】
LNA３３は、入力端子３１から供給されたRF信号を増幅し、チューナ３４に供給する。
【００４０】
即ち、LNA３３は、トランジスタ１１１、抵抗１１２乃至抵抗１１４から構成される。
【００４１】
なお、図２では、LNA３３の回路は、等価回路で記述されており、LNA３３の回路を構成する上述の各素子を、等価な他の素子あるいは回路と置き換えることも可能である。
【００４２】
トランジスタ１１１は、例えば、NPN（Negative Positive Negative）型のバイポーラトランジスタである。
【００４３】
トランジスタ１１１のコレクタ端子は、抵抗１１４を介して、電源端子３５に接続されている。また、トランジスタ１１１のコレクタ端子は、抵抗１１３を介して、トランジスタ１１１のベース端子に接続されており、トランジスタ１１１のベース端子には、コレクタ端子からの負帰還がかかるようになっている。さらに、トランジスタ１１１のコレクタ端子は、出力端子１１５に接続されている。
【００４４】
トランジスタ１１１のベース端子は、抵抗１１２を介して、接地点（以下、適宜、GND(Ground)ともいう）に接続されている。なお、抵抗１１２と抵抗１１３とにより、トランジスタ１１１の入力電位（以下、バイアス）が決定される。
【００４５】
トランジスタ１１１のエミッタ端子は、GNDに接続され、つまり、接地されている。
【００４６】
LNA３３では、入力端子３１から供給されるRF信号が、トランジスタ１１１によって増幅され、出力端子１１５から出力される。そして、出力端子１１５から出力された（増幅された）RF信号は、チューナ３４に供給される。
【００４７】
チューナ３４は、前述したように、LNA３３から供給されるRF信号に、所定の処理を施し、その結果得られるトランスポートストリームを出力する。
【００４８】
即ち、チューナ３４は、RF処理部５１および復調部５２から構成される。
【００４９】
チューナ３４のRF処理部５１は、前述したように、LNA３３から供給された（増幅された）RF信号を、IF信号に変換し、復調部５２に供給する。
【００５０】
即ち、RF処理部５１は、AGC(Automatic Gain Control)１３１、発振器１３２、混合器１３３、LPF(Low Pass Filter)１３４、およびAGC１３５から構成される。
【００５１】
RF処理部５１のAGC１３１は、LNA３３から供給された（増幅された）RF信号を増幅して、混合器１３３に供給する。
【００５２】
発振器１３２は、RF信号から所定のチャンネル（周波数帯域）の信号を抽出するために、そのチャンネルに応じた所定の周波数の信号を発振し、混合器１３３に供給する。
【００５３】
混合器１３３は、AGC１３１から供給されるRF信号と、発信器１３２から供給される所定の周波数の信号を乗算（ミキシング）することにより、RF信号をIF信号に変換して、LPF１３４に供給する。
【００５４】
LPF１３４は、混合器１３３から供給されるIF信号から不要な高周波成分を除去し、これにより、所定のチャンネルの信号を得て、AGC１３５に供給する。
【００５５】
AGC１３５は、LPF１３４から供給されるIF信号を、適切な振幅の信号となるように増幅して、復調部５２に供給する。
【００５６】
復調部５２は、RF処理部５１から供給されるIF信号を復調し、その結果得られるトランスポートストリームを出力する。
【００５７】
即ち、復調部５２は、AD(Analog Digital)変換部１５１、OFDM(Orthogonal Frequency Division Multiplexing)復調部１５２、および誤り訂正処理部１５３から構成される。
【００５８】
復調部５２のAD変換部１５１は、RF処理部５１から供給されるIF信号をAD変換し、その結果得られるデジタル化されたIF信号であるデジタルIF信号を、OFDM復調部１５２に供給する。
【００５９】
OFDM復調部１５２は、AD変換部１５１から供給されたデジタルIF信号をOFDM復調し、その結果得られるデータを、誤り訂正処理部１５３に供給する。
【００６０】
誤り訂正処理部１５３は、OFDM復調部１５２から供給されたデータに誤り訂正の処理を行い、その結果得られるトランスポートストリームを出力する。また、誤り訂正処理部１５３は、誤り訂正の処理で誤りを検出すると、エラーを検出したことを表すエラー検出信号をエラーフラグ記憶部９３に供給する。
【００６１】
抵抗９１1乃至抵抗９１Nのそれぞれは、抵抗値の異なる抵抗であり、抵抗９１1乃至抵抗９１Nそれぞれの一端は、電源端子３５に接続されている。また、抵抗９１1乃至抵抗９１Nそれぞれの他の一端は、抵抗切換部９２によって選択された場合にのみ、抵抗切換部９２を介して、定電圧源３２の＋端子に接続される。したがって、定電圧Eは抵抗切換部９２と、抵抗９１1乃至抵抗９１Nのうちのいずれか１の抵抗９１iを介して、LNA３３の電源端子３５に、電源として与えられる。
【００６２】
抵抗切換部９２は、制御部９４から供給された制御信号に基づいて、抵抗９１1乃至抵抗９１Nのうちの１の抵抗を選択し、その選択された１の抵抗を定電圧源３２の＋端子に接続するように、抵抗の切り換えを行う。
【００６３】
ここで、LNA３３の電源端子３５には、定電圧源３２のEが、抵抗切換部９２と、抵抗９１1乃至抵抗９１Nのうちのいずれか１の抵抗９１iを介して、印加される。
【００６４】
従って、いま、抵抗切換部９２での電圧降下を無視することとすると、LNA３３の電源端子３５には、定電圧源３２の定電圧Eから、抵抗切換部９２が選択している抵抗９１iでの電圧降下による電圧Viを差し引いた電圧E-Viが、電源として印加される。
【００６５】
その結果、抵抗切換部９２が、制御部９４から供給された制御信号に基づいて、抵抗９１1乃至抵抗９１Nの中の１の抵抗としての抵抗９１t（1≦t≦N）を選択することにより、抵抗９１s（s≠t）から抵抗９１tに抵抗の切り換えを行った場合、抵抗９１tの抵抗値は、抵抗９１sの抵抗値と異なるため、LNA３３に電源として与えられる電圧が変更されることとなる。
【００６６】
即ち、抵抗９１tでの電圧降下による電圧Vtは、抵抗９１sでの電圧降下による電圧Vsとは異なる。従って、抵抗９１sから抵抗９１tに抵抗の切り換えを行った場合、電源として与えられる電圧はE-VsからE-Vtに変更される。
【００６７】
エラーフラグ記憶部９３は、チューナ３４の誤り訂正処理部１５３から供給されるエラー検出信号をエラーフラグとして記憶する。
【００６８】
制御部９４は、エラーフラグ記憶部９３を参照し、エラーフラグ記憶部９３にエラーフラグが記憶されている場合、すなわち、OFDM復調部１５２が出力するデータにエラーが生じており、したがって、チューナ３４の受信状態が良好でない場合、抵抗９１iの切り換えを行うために抵抗切換部９２を制御する。
【００６９】
即ち、制御部９４は、判定部１７１および切換制御部１７２から構成される。
【００７０】
制御部９４の判定部１７１は、チューナ３４の受信状態が良好かどうかを判定する。即ち、判定部１７１は、エラーフラグ記憶部９３にエラーフラグが記憶されている場合、チューナ３４の受信状態が良好でないと判定する。また、判定部１７１は、エラーフラグ記憶部９３に、エラーフラグが記憶されていない場合、チューナ３４の受信状態が良好であると判定する。
【００７１】
切換制御部１７２は、判定部１７１によってチューナ３４の受信状態が良好でないと判定された場合、抵抗切換部９２に、抵抗９１iの切り換えを行うための制御信号を供給する。
【００７２】
以上のように構成される放送受信機７１では、チューナ３４の受信状態が良好でない場合に、切換制御部１７２が、LNA３３の利得が変更されるように、LNA３３の電源として与えられる電圧（電源電圧）を変更する。
【００７３】
図３は、LNA３３の電源電圧と利得との関係を示す図である。
【００７４】
図３において、横軸は、LNA３３の電源電圧をＶ(Volt)単位で表し、縦軸は、LNA３３の利得をdB(Decibel)単位で表している。
【００７５】
図３に示すように、電源電圧が低い領域にある低電圧飽和領域と、電源電圧が高い領域にある高電圧飽和領域とを除いて、LNA３３の利得は、電源電圧に対して単調に増加する。
【００７６】
従って、図３によれば、LNA３３の電源電圧を低くすることにより、LNA３３の利得を小さくすることができ、また、LNA３３の電源電圧を高くすることにより、LNA３３の利得を大きくすることができることが分かる。
【００７７】
図４は、LNA３３の電源電圧と消費電流との関係を示す図である。
【００７８】
図４において、横軸は、LNA３３の電源電圧をＶ（ボルト）単位で示し、縦軸は、LNA３３の消費電流をmA(milli Ampere)単位で示している。
【００７９】
図４に示すように、消費電流は、電源電圧が閾値電圧を超えると、電源電圧に対して単調に増加する。
【００８０】
従って、図４によれば、LNA３３の電源電圧が低い場合には、消費電流が小さくなり、また、LNA３３の電源電圧が高い場合には、消費電流が大きくなることが分かる。
【００８１】
図５は、LNA３３の電源電圧、つまり、LNA３３の電源端子３５に印加される電圧と、その電圧が電源端子３５に印加されるようにする抵抗９１iの抵抗値との関係を示す図である。
【００８２】
図５において、横軸は、LNA３３の電源電圧をＶ（ボルト）単位で示し、縦軸は、抵抗９１iの抵抗値をΩ(ohm)単位で対数的に示している。
【００８３】
なお、図５では、定電圧源３２の定電圧Eは3Vとしてある。
【００８４】
図５において、抵抗９１iの抵抗値は、電源電圧に対して単調に減少している。
【００８５】
図５によれば、抵抗９１iの抵抗値を大きくすることにより、LNA３３の電源電圧は低くなり、また、抵抗９１iの抵抗値を小さくすることにより、LNA３３の電源電圧は高くなることが分かる。
【００８６】
以上の図３乃至図５によれば、抵抗９１iの抵抗値を大にした場合には、LNA３３の電源電圧が低くなり（図５）、LNA３３の利得を低くすることができる（図３）。したがって、この場合、放送受信機７１の入力端子３１からLNA３３に、レベルの高いRF信号（強い信号）が供給されても、LNA３３の後段のチューナ３４において、信号の歪みが生じ、受信不能となることを防止すること、つまり、高歪耐力を実現することができる。
【００８７】
一方、抵抗９１iの抵抗値を小にした場合には、LNA３３の電源電圧が高くなり（図５）、LNA３３の利得が高くなって（図３）、放送受信機７１のNFを低くすることができる。したがって、この場合、放送受信機７１の入力端子３１からLNA３３に、レベルの低いRF信号（弱い信号）が供給されても、そのRF信号に対する放送受信機７１の受信感度を向上させることができる。
【００８８】
次に、図６のフローチャートを参照して、制御部９４による切換処理について説明する。
【００８９】
切換処理は、例えば、放送受信機７１の電源がオンされると、開始される。
【００９０】
なお、以下では、抵抗９１1乃至抵抗９１Nの抵抗値は、添え字の１から順に、抵抗値が高くなるようになっているものとする。
【００９１】
図２の切換制御部１７２は、ステップＳ３１において、抵抗９１1乃至抵抗９１Nの添え字をカウントする変数nに、初期値としての、例えば、１をセットし、ステップＳ３２に進む。
【００９２】
ステップＳ３２において、図２の切換制御部１７２は、抵抗９１1乃至抵抗９１Nの中の１の抵抗としての抵抗９１1に抵抗を切り換えさせて、ステップＳ３３に進む。即ち、ステップＳ３２において、図２の切換制御部１７２は、抵抗９１1に抵抗を切り換えるための制御信号を、抵抗切換部９２に供給する。そして、抵抗切換部９２は、切換制御部１７２からの制御信号に基づいて、抵抗９１1に抵抗を切り換える。
【００９３】
ステップＳ３３において、図２の判定部１７１は、エラーフラグ記憶部９３にエラーフラグが記憶されているかどうか、すなわち、チューナ３４の受信状態が良好でないかどうかを判定する。ステップＳ３３において、エラーフラグがエラーフラグ記憶部９３に記憶されていないと判定された場合、すなわち、チューナ３４の受信状態が良好である場合、ステップＳ３３に戻り、以下、同様の処理が繰り返される。
【００９４】
一方、ステップＳ３３において、エラーフラグ記憶部９３にエラーフラグが記憶されていると判定された場合、すなわち、チューナ３４の受信状態が良好でなく、そのために、誤り訂正処理部１５３において、OFDM復調部１５２からのデータに誤りが検出され、エラー検出信号がエラーフラグ記憶部９３に供給されて、エラーフラグ記憶部９３がエラーフラグを記憶している場合、ステップＳ３４に進み、切換制御部１７２は、変数ｎを１だけインクリメントし、エラーフラグ記憶部９３の記憶内容をクリアして（エラーフラグを消去して）ステップＳ３５に進む。
【００９５】
ステップＳ３５において、切換制御部１７２は、抵抗９１n（以下、適宜、n番目の抵抗という）に抵抗を切り換えて、ステップＳ３６に進む。即ち、ステップＳ３５において、切換制御部１７２は、（抵抗９１n-1から）抵抗９１nに抵抗を切り換えるための制御信号を、抵抗切換部９２に供給する。抵抗切換部９２は、切換制御部１７２からの制御信号に基づいて、（抵抗９１n-1から）抵抗９１nに抵抗を切り換える。
【００９６】
ここで、切換後の抵抗９１nは、切換前の抵抗９１n-1に対して、高い抵抗値を持つため、抵抗９１n-1から抵抗９１nへの切り換えが行われた場合、図５に示したように、LNA３３の電源電圧は低くなり、さらに、図３に示したように、LNA３３の利得は低くなる。そして、その結果、LNA３３からチューナ３４に供給されるRF信号のレベルは小さくなる。従って、ステップＳ３３でエラーフラグ記憶部９３に記憶されていると判定されたエラーフラグに対応するエラーが、レベルが大きいRF信号がLNA３３からチューナ３４に供給されたことにより生じた信号の歪みに起因する場合、抵抗９１n-1から抵抗９１nへの切り換えが行われると、LNA３３からチューナ３４に供給されるRF信号のレベルが小さくなることにより、チューナ３４で歪みが生じを、その歪みに起因してエラーが発生することを防止することができる。
【００９７】
ステップＳ３６において、切換制御部１７２は、変数ｎが抵抗９１1乃至抵抗９１Nの総数Ｎに等しいかどうかを判定する。
【００９８】
ステップＳ３６において、変数ｎがＮに等しいと判定された場合、ステップＳ３１に戻り、以下、同様の処理が繰り返される。即ち、この場合、抵抗９１Nから抵抗９１1への切り換えが行われる。
【００９９】
ここで、切換後の抵抗９１1は、切換前の抵抗９１Nより低い抵抗値（抵抗９１Nを含む他の抵抗９１2乃至抵抗９１Nの中で最も低い抵抗値）を持つため、抵抗９１Nから抵抗９１1への切り換えが行われた場合、図５に示したように、LNA３３の電源電圧は（最も）高くなり、さらに、図３に示したように、LNA３３の利得は（最も）高くなる。そして、その結果、放送受信機７１のNFが（最も）低くなる。従って、ステップＳ３３でエラーフラグ記憶部９３に記憶されていると判定されたエラーフラグに対応するエラーが、放送受信機１１の受信感度が低下したことに起因する場合、抵抗９１Nから抵抗９１1への切り換えが行われると、放送受信機１１のNFが（最も）低くなることにより、放送受信機１１の受信感度が向上し、その受信感度の低下に起因してエラーが発生することを防止することができる。
【０１００】
ステップＳ３６において、変数ｎがＮに等しくないと判定された場合、ステップＳ３３に戻り、以下、同様の処理が繰り返される。
【０１０１】
以上のように、放送受信機７１では、チューナ３４の受信状態が良好でない場合、抵抗９１iを切り換え、LNA３３の電源電圧を変更させることにより、LNA３３の利得を変更することができる。その結果、弱い信号がLNA３３に入力された場合には、LNA３３の利得を大にして、放送受信機１１の受信感度を向上させることができ、また、強い信号がLNA３３に入力された場合には、LNA３３の利得を小にして、チューナ３４で信号の歪みが生じ、受信不能となることを防止すること、つまり、高耐歪力を実現することができる。
【０１０２】
また、図４に示したように、LNA３３の電源電圧を低くすると、LNA３３の消費電流は小さくなる。従って、LNA３３の電源電圧を変更する放送受信機７１では、LNA３３の電源電圧を変更しない放送受信機１１（図１）と比較して、LNA３３の消費電流の平均値が小さくなり、その結果、LNA３３で消費する平均消費電力を低減することができる。
【０１０３】
なお、上述した抵抗９１1乃至抵抗９１Nの抵抗値は、添え字の１から順に大きくなるようにしたが、任意の順番となるようにしてもよい。
【０１０４】
また、上述した放送受信機７１では、LNA３３の電源電圧を変更させるために、抵抗値の異なる複数の抵抗９１1乃至抵抗９１Nを設け、そのうちの１つを選択することにより、LNA３３の電源電圧を変更するようにしたが、LNA３３の電源電圧の変更は、その他、例えば、異なる定電圧を供給する複数の定電圧源を設け、そのうちの１つを選択して、LNA３３の電源とすることにより行うことが可能である。
【０１０５】
あるいは、また、上述した放送受信機７１では、抵抗切換部９２を設け、抵抗切換部９２によって抵抗値の異なる複数の抵抗９１1乃至抵抗９１Nを切り換えることにより、抵抗値の変更を行うようにしたが、抵抗値の変更は、その他、ボリューム（可変抵抗器）を設け、そのボリュームの抵抗値を変更することにより行うことが可能である。
【０１０６】
また、上述した切換処理における一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１０７】
図７は、上述した一連の処理をプログラムにより実行するコンピュータの構成の例を示すブロック図である。CPU（Central Processing Unit）１９１は、ROM（Read Only Memory）１９２、または記憶部１９８に記憶されているプログラムに従って各種の処理を実行する。RAM（Random Access Memory）１９３には、CPU１９１が実行するプログラムやデータなどが適宜記憶される。これらのCPU１９１、ROM１９２、およびRAM１９３は、バス１９４により相互に接続されている。
【０１０８】
CPU１９１にはまた、バス１９４を介して入出力インターフェース１９５が接続されている。入出力インターフェース１９５には、キーボード、マウス、マイクロホンなどよりなる入力部１９６、ディスプレイ、スピーカなどよりなる出力部１９７が接続されている。CPU１９１は、入力部１９６から入力される指令に対応して各種の処理を実行する。そして、CPU１９１は、処理の結果を出力部１９７に出力する。
【０１０９】
入出力インターフェース１９５に接続されている記憶部１９８は、例えばハードディスクからなり、CPU１９１が実行するプログラムや各種のデータを記憶する。通信部１９９は、インターネットやローカルエリアネットワークなどのネットワークを介して外部の装置と通信する。
【０１１０】
また、通信部１９９を介してプログラムを取得し、記憶部１９８に記憶してもよい。
【０１１１】
入出力インターフェース１９５に接続されているドライブ２００は、磁気ディスク、光ディスク、光磁気ディスク、或いは半導体メモリなどのリムーバブルメディア２０１が装着されたとき、それらを駆動し、そこに記録されているプログラムやデータなどを取得する。取得されたプログラムやデータは、必要に応じて記憶部１９８に転送され、記憶される。
【０１１２】
コンピュータにインストールされ、コンピュータによって実行可能な状態とされるプログラムを格納するプログラム記録媒体は、図７に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア２０１、または、プログラムが一時的もしくは永続的に格納されるROM１９２や、記憶部１９８を構成するハードディスクなどにより構成される。プログラム記録媒体へのプログラムの格納は、必要に応じてルータ、モデムなどのインタフェースである通信部１９９を介して、ローカルエリアネットワーク、インターネット、デジタル衛星放送といった、有線または無線の通信媒体を利用して行われる。
【０１１３】
ここで、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１１４】
なお、本発明は、テレビジョン放送の放送信号を受信する受信装置としてチューナの他、ラジオ放送用、ワイヤレスLAN用の受信装置等、電波に対応する信号を受信する無線の受信装置に適用することができる。
【０１１５】
また、本発明の実施の形態は、上述した実施の形態に限定されるものではなく、本発明の要旨を逸脱しない範囲において種々の変更が可能である。
【図面の簡単な説明】
【０１１６】
【図１】LNAを有する従来の放送受信機の一例の構成を示す図である。
【図２】本発明を適用した放送受信機の一実施の形態の構成例を示すブロック図である。
【図３】LNA３３の電源電圧と、LNA３３の利得との関係を示す図である。
【図４】LNA３３の電源電圧と、LNA３３の消費電流との関係を示す図である。
【図５】LNA３３の電源電圧と、その電圧が電源端子３５に印加されるようにする抵抗９１iの抵抗値との関係を示す図である。
【図６】制御部９４による切換処理を示すフローチャートである。
【図７】切換処理における一連の処理をプログラムにより実行するパーソナルコンピュータの構成の例を示すブロック図である。
【符号の説明】
【０１１７】
１１  放送受信機，  ３１  入力端子，  ３２  定電圧源，  ３３  LNA，  ３４  チューナ，  ５１  RF処理部，  ５２  復調部，  ７１  放送受信機，  ９１1乃至９１N  抵抗，  ９２  抵抗切換部，  ９３  エラーフラグ記憶部，  ９４  制御部，  １１１  トランジスタ，  １１２乃至１１４  抵抗，  １３１  AGC，  １３２  発振器，  １３３  混合器，  １３４  LPF，  １３５  AGC，  １５１  AD変換部，  １５２  OFDM復調部，  １５３  誤り訂正処理部，  １７１  判定部，  １７２  切換制御部，  １９１  CPU，  １９２  ROM，  １９３  RAM，  １９４  バス，  １９５  入出力インターフェイス，  １９６  入力部，  １９７  出力部，  １９８  記憶部，  １９９  通信部，  ２００  ドライブ，  ２０１  リムーバブルメディア
【図１】
2007336463.tif 000003
【図２】
2007336463.tif 000004
【図３】
2007336463.tif 000005
【図４】
2007336463.tif 000006
【図５】
2007336463.tif 000007
【図６】
2007336463.tif 000008
【図７】
2007336463.tif 000009